(57)【要約】      （修正有）【課題】一般的な幅木を加工することで形成でき、通信線の配線に用いることができる幅木を提供する。【解決手段】幅木１０は、直径３．５ｍｍ以下の通信線を屋内に配線するための幅木である。幅木１０は、当該幅木の壁面側の面１２に長手方向に形成された溝１００（１００’，１００’’）を有し、その溝１００（１００’，１００’’）は、通信線１本のみを配線するための溝である。そして、その溝１００（１００’，１００’’）は、配線する通信線を、許容される側圧以下の力で収納でき、壁面側の面１２の法線が水平方向のときに外れないように、かつ、長手方向に滑らせることができるように保持する。【選択図】図１
0003197893.tif 000002
【実用新案登録請求の範囲】
【請求項１】
直径３．５ｍｍ以下のＬＡＮケーブルを配線するための幅木であって、
当該幅木の壁面側の面に長手方向に形成された溝を有し、
前記溝は、前記ＬＡＮケーブル１本のみを配線するための溝であり、
その溝に配線する前記ＬＡＮケーブルの直径に対して、幅が１１０％〜１２０％、深さが１１０％以上である
ことを特徴とする幅木。
【請求項２】
直径３．５ｍｍ以下のＬＡＮケーブルを配線するための幅木であって、
当該幅木の壁面側の面に長手方向に形成された溝を有し、
前記溝は、前記ＬＡＮケーブル１本のみを配線するための溝であり、
その溝に配線する前記ＬＡＮケーブルの直径に対して、開口部の幅が１１０％〜１２０％、深さが１１０％以上であり、深い部分の幅は開口部の幅よりも広い
ことを特徴とする幅木。
【請求項３】
請求項１または２記載の幅木であって、
前記深さは、前記ＬＡＮケーブルの直径に対して１４０％以下である
ことを特徴とする幅木。
【請求項４】
直径３．５ｍｍ以下の通信線を配線するための幅木であって、
当該幅木の壁面側の面に長手方向に形成された溝を有し、
前記溝は、前記通信線１本のみを配線するための溝であり、
前記溝は、その溝に配線する通信線を、当該通信線の許容される側圧以下の力で収納でき、前記壁面側の面の法線が水平方向のときに外れないように、かつ、長手方向に滑らせることができるように保持する
ことを特徴とする幅木。
【考案の詳細な説明】
【技術分野】
【０００１】
本考案は、通信線を屋内に配線するための幅木に関する。
【背景技術】
【０００２】
幅木を利用したケーブルの配線技術としては、特許文献１，２がある。特許文献１は、幅木本体と幅木カバーとの間に空間を設け、空間内に配線されるケーブルを係止して保持するフック部材を設けている。特許文献２は、建物の壁内下部に壁の縦枠を貫通してケーブルが配線され、壁の面材の室内側面下部に幅木が配設されている。
【先行技術文献】
【特許文献】
【０００３】
【特許文献１】特開平５−４９１４３号公報
【特許文献２】特開２００４−２０１３９８号公報
【考案の概要】
【考案が解決しようとする課題】
【０００４】
一般的な幅木には、厚さが７ｍｍ，９ｍｍなどの木製が多く、壁面に取り付けたときに露出する部分には意匠が施されている。このような一般的な幅木には非常に多くの種類があるので、それらの中から壁や床との調和などを考慮して選ぶことができる。しかし、特許文献１の技術は一般的な幅木を用いることはできないので、選択肢が少ない。また、幅木が非常に厚いものになってしまう。特許文献２の技術は、ケーブルを壁の縦枠を貫通して配線するので、大掛かりな工事が必要である。
【０００５】
本考案の目的は、一般的な幅木を加工することで形成でき、通信線の配線に用いることができる幅木を提供することである。
【課題を解決するための手段】
【０００６】
本考案の幅木は、直径３．５ｍｍ以下の通信線を屋内に配線するための幅木である。幅木は、当該幅木の壁面側の面に長手方向に形成された溝を有し、その溝は、通信線１本のみを配線するための溝である。そして、その溝は、配線する通信線を、許容される側圧以下の力で収納でき、壁面側の面の法線が水平方向のときに外れないように、かつ、長手方向に滑らせることができるように保持する。例えば、通信線がＬＡＮケーブルの場合、その溝に配線するＬＡＮケーブルの直径に対して、幅が１１０％〜１２０％、深さが１１０％以上である。または、その溝に配線するＬＡＮケーブルの直径に対して、開口部の幅が１１０％〜１２０％、深さが１１０％以上であり、深い部分の幅は開口部の幅よりも広い。
【考案の効果】
【０００７】
本考案の幅木によれば、一般的な幅木の壁面側の面を加工すれば形成でき、押さえつけなくても（許容される側圧で）通信線が溝に入り、幅木を壁に取り付ける際に通信線が溝から外れにくく、幅木を壁に押し当てた状態で通信線を長手方向に滑らせることができる。したがって、一般的な幅木を加工することで形成でき、通信線の配線に用いることができる。
【図面の簡単な説明】
【０００８】
【図１】本考案の幅木を示す斜視図。
【図２】図１のＡの部分を拡大した側面図。
【図３】図２とは異なる形状の溝を示す側面図。
【図４】図２，３とは異なる形状の溝を示す側面図。
【図５】ＬＡＮケーブルの断面図。
【図６】２つの溝を有する本考案の幅木を示す斜視図。
【図７】光ファイバコードの断面図。
【考案を実施するための形態】
【０００９】
以下、本考案の実施の形態について、詳細に説明する。なお、同じ機能を有する構成部には同じ番号を付し、重複説明を省略する。
【実施例１】
【００１０】
＜求められる条件＞
図１は、本考案の幅木を示す斜視図である。図２は図１のＡの部分を拡大した側面図、図３は図２とは異なる形状の溝を示す側面図、図４は図２，３とは異なる形状の溝を示す側面図である。本考案の幅木１０は、通常、壁の下部に張り付けて使用され、露出する面１１には意匠が施されている。また、壁面側の面１２には、長手方向に形成された溝１００または溝１００’または溝１００”を有する。以下では、まず、幅木１０を用いて配線する通信線の具体例を示す。そして、幅木１０を通信線の配線に利用したときに、１人の作業者で簡易に作業が行えるようにするための条件を検討する。
【００１１】
図５は通信線の具体例であるＬＡＮケーブルの断面図である。ＬＡＮケーブル８００は、８心の電線８１１〜８１８と外被８３０を有する。そして、通信特性を維持するため、電線８１１〜８１８は２心ずつを１組とした４組８２１〜８２４に分けられ、各組８２１〜８２４は異なるピッチで撚られている。なお、近年はＬＡＮケーブルの細径化も進んでおり、直径が３．５ｍｍ以下のＬＡＮケーブルも実用化されてきた。このようなＬＡＮケーブルであれば４ｍｍ程度の深さの溝に収納できるので、厚さが７ｍｍ程度の一般的な幅木を利用することも可能である。ただし、細径のＬＡＮケーブルのように外被８３０が薄いときには、電線８１１〜８１８を撚っているので、断面はきれいな円形ではない（この場合の「直径」とは円となるように断面を平均化したときの直径を意味している。）。
【００１２】
特許文献１に示された構造の幅木の場合、通信線を幅木本体内に配置した上で幅木カバーを取り付ければよい。しかし、幅木１０の場合、通信線を幅木１０の溝１００，１００’，１００”に収納した状態で、通信線と一緒に幅木を壁に配置しなければならない。したがって、（１）溝１００，１００’，１００”は、壁面側の面１２の法線が水平方向のときに、通信線が外れない程度には通信線を保持しなければならない。なお、ＬＡＮケーブルの場合、多少の剛性や癖があるため、テーブルの上に側圧が加わらないように置いたときに、まっすぐにすることは難しい。つまり、まったく保持する力が無い状態では、溝から外れてしまう。
【００１３】
溝１００，１００’，１００”に通信線を収納した状態で幅木１０を壁に押し当てれば、通信線は溝１００，１００’，１００”から外れることはなくなる。その後で、通信線を動かさないように幅木１０を横方向（長手方向）にずらすことや、幅木１０を固定して通信線をずらすことができれば、通信線の位置を調整できるので作業は楽である。逆に、通信線を長手方向に滑らせることができなければ、通信線を幅木１０の溝１００，１００’，１００”に収納するときに、通信線の長手方向の位置まで決めてしまわなければならない。あるいは、幅木１０を壁に押し当てる工程で、幅木１０と壁との間に手を入れながら通信線を溝１００，１００’，１００”に収納しなければならなくなる。つまり、（２）溝１００，１００’，１００”は、通信線を長手方向に滑らせることができるように保持しなければならない。なお、（１）の条件を接着剤やテープなどの利用によって満たしたのでは、（２）の条件を満たすことは難しいことに留意されたい。
【００１４】
ＬＡＮケーブル８００の場合、強い側圧が加わると断面が円形でなくなり、撚りのバランスが崩れるので、通信特性が劣化する可能性がある。例えば、ＬＡＮケーブルを強く押し込むようにしなければ溝に入らない場合、撚りを変形させてしまう可能性がある。したがって、（３）ＬＡＮケーブルを軽く押さえただけで（許容される側圧以下の力で）溝に収納できなければならない。なお、「許容される側圧」とは、通信特性が担保できる範囲の側圧という意味であり、使用する通信線に仕様が定められているときは、その仕様が示す値とすればよい。
【００１５】
上述の（１）〜（３）を満たす溝の条件を検討するために、直径３．１ｍｍのＬＡＮケーブルを用いて実験した。その結果、幅ｗが３．７ｍｍ（直径の約１２０％）ならば、壁面側の面１２の法線を水平方向にしても、ＬＡＮケーブルは外れなかった。しかし、幅ｗが４ｍｍ（直径の約１３０％）のときはＬＡＮケーブルの一部が外れ、５ｍｍ（直径の約１６０％）ではＬＡＮケーブルを保持できなかった。
【００１６】
一方、幅ｗが３．４ｍｍ（直径の約１１０％）であれば軽く押さえれば溝に入ったが、３．２ｍｍ（直径の１０３％）では、押し込まなければＬＡＮケーブルを溝に収納できなかった。また、幅ｗが３．４ｍｍ（直径の約１１０％）であればＬＡＮケーブルを長手方向に簡単に滑らせることができたが、３．２ｍｍ（直径の１０３％）では、滑らせることができなかった。
【００１７】
なお、ＬＡＮケーブルを滑らせることができる範囲であれば、通信特性への影響は確認できなかった。滑らせることができる範囲であれば、ＬＡＮケーブルを変形させるような側圧は加わっていないと考えられるためである。
【００１８】
上記の実験では、溝の深さは４ｍｍとしたが、溝の深さは、幅木を壁に押し当てたときに通信線に側圧を加えない範囲（直径に対して１１０％以上）であればよい。また、深い方向の限界は幅木の強度を弱めすぎないという条件から決まるので、幅木の厚さや材質から定めればよい。ただし、加工のしやすさを考慮すると、深さは、１１０％〜１４０％程度が望ましいと考えられる。
【００１９】
＜構造＞
上述の検討と実験の結果から、図２に示された溝１００と図４に示された溝１００”は、溝１００，１００”に配線する通信線の直径に対して、幅ｗが１１０％〜１２０％、深さｄが１１０％以上である。図３に示された溝１００’は、溝１００’に配線する通信線の直径に対して、開口部の幅が１１０％〜１２０％、深さが１１０％以上であり、深い部分の幅は開口部の幅よりも広い。ただし、深さは１４０％以下が、加工上、望ましいと考えられる。なお、通信線としての具体例はＬＡＮケーブルであり、「直径」とはＬＡＮケーブルの断面を円形に平均化したときの直径である。
【００２０】
幅木１００によれば、一般的な幅木の壁面側の面を加工すれば形成でき、押さえつけなくても通信線が溝に入り、幅木を壁に取り付ける際に通信線が溝から外れにくく、幅木を壁に押し当てた状態で通信線を長手方向に滑らせることができる。したがって、一般的な幅木を加工することで形成でき、通信線の配線に用いることができる。
【００２１】
なお、溝１００’であれば、通信線を溝に収納する際に加わる側圧よりも、収納後に加わる側圧を小さくできる。したがって、さらに通信線を滑りやすくできる。また、溝１００”であれば、壁面側の面の法線が水平のときでも、さらに通信線を外れにくくできる。
【００２２】
［変形例１］
図６は、２つの溝を有する幅木を示す斜視図である。幅木２０は、壁面側の面１２に、長手方向に形成された溝１００と溝１０１を有する。溝１００と溝１０１は、それぞれ１本ずつ通信線を通す。そして、溝１００，１０１は、上記の＜求められる条件＞で示した（１）〜（３）の条件を満たせばよい。
【００２３】
例えば、通信線がＬＡＮケーブルの場合であれば、溝１００，１０１のそれぞれは、その溝に配線するＬＡＮケーブルの直径に対して、幅が１１０％〜１２０％、深さが１１０％以上である。または、溝１００，１０１のそれぞれは、その溝に配線するＬＡＮケーブルの直径に対して、開口部の幅が１１０％〜１２０％、深さが１１０％以上であり、深い部分の幅は開口部の幅よりも広い。
【００２４】
幅木２０のように、２本以上の通信線を配線したいときには、通信線ごとに溝を形成すれば、実施例１と同様の効果を得ながら、２本以上の通信線でも幅木を用いて配線できる。
【００２５】
［変形例２］
図７に光ファイバコードの断面を示す。光ファイバコード９００は、光ファイバ心線９１０と抗張力層９２０と被覆９３０を備える。光ファイバ心線９１０は、樹脂などで覆われた光ファイバ９１１とその外側をコートする被覆９１２で構成されている。光ファイバコードも直径は３．５ｍｍ以下の光ファイバコードが存在する。そして、屋内配線用の通信線として使用される。ただし、光ファイバコード９００の場合は、ＬＡＮケーブルと異なり、撚りが無いため、断面は円形に近い。したがって、上記の＜求められる条件＞で示した（１）〜（３）の条件の具体的な値は、ＬＡＮケーブルの場合とは異なると考えられる。
【００２６】
しかし、光ファイバコードの場合も、側圧によって損失が増加する可能性があるので、上記の＜求められる条件＞で示した（１）〜（３）の条件は、光ファイバコードにも当てはまる。したがって、使用する通信線ごとに（１）〜（３）の条件を満たす範囲を確認した上で溝を形成すれば、実施例１と同様の効果が得られる。
【００２７】
つまり、以下のような幅木であれば、通信線一般に対して、本考案の効果を得ることができる。まず、本考案の幅木は、直径３．５ｍｍ以下の通信線を屋内に配線するための幅木である。幅木は、当該幅木の壁面側の面に長手方向に形成された溝を有し、その溝は、通信線１本のみを配線するための溝である。その溝は、配線する通信線を、許容される側圧以下の力で収納でき、壁面側の面の法線が水平方向のときに外れないように、かつ、長手方向に滑らせることができるように保持する。なお、複数の通信線を配線したいときには、複数の溝を形成すればよい。
【図１】
0003197893.tif 000003
【図２】
0003197893.tif 000004
【図３】
0003197893.tif 000005
【図４】
0003197893.tif 000006
【図５】
0003197893.tif 000007
【図６】
0003197893.tif 000008
【図７】
0003197893.tif 000009